(57)【要約】【課題】撮影環境の解析を行なうために必要となる様々な情報を取得できないという問題を解決する。【解決手段】サブ画像センサ１４は補助撮像素子１４２を備え、３６０度回転可能にサブ画像センサ保持部１５の上端に設置されている。補助撮像素子１４２で撮像された周辺環境画像を用いて、第１モードにおいては被写体の周辺環境の解析および画像処理条件を設定して、撮像素子２０で取得したＲＡＷデータに対して画像処理条件に基づいた画像処理を施す。第２モードでは、周辺環境画像を用いた被写体の周辺環境の解析を行なう。第３モードでは、周辺環境画像を取得する。【選択図】図１
2008028704.tif 000002
【特許請求の範囲】
【請求項１】
第１の光学系を通過した第１の被写界の像が形成されるカメラ本体と、
前記第１の被写界とは少なくとも一部が異なる第２の被写界の像を形成する第２の光学系と、
前記第２の光学系による像から得られた画像を用いて前記第１の光学系の前記第１の被写界を解析する解析手段とを含むことを特徴とするカメラシステム。
【請求項２】
請求項１に記載のカメラシステムにおいて、
前記解析手段の解析結果を用いて前記第１の光学系による像から画像を生成するための設定を変更する設定変更手段を含むことを特徴とするカメラシステム。
【請求項３】
請求項１または２に記載のカメラシステムにおいて、
前記解析手段は、前記第１の光学系による像から得られた画像および前記第２の光学系による像から得られた画像を用いて前記第１の被写界を解析することを特徴とするカメラシステム。
【請求項４】
請求項１乃至３のいずれか一項に記載のカメラシステムにおいて、
前記解析手段は、前記第２の被写界を解析した結果に応じて、前記第１の光学系による像から得られた画像を解析することを特徴とするカメラシステム。
【請求項５】
請求項１乃至４のいずれか一項に記載のカメラシステムにおいて、
前記解析手段の解析結果を用いて前記第１の光学系による像から得られた画像を修正する画像修正手段を含むことを特徴とするカメラシステム。
【請求項６】
請求項１乃至５のいずれか一項に記載のカメラシステムにおいて、
前記第１の光学系による像および前記第２の光学系による像には、同一の被写体が含まれていることを特徴とするカメラシステム。
【請求項７】
請求項１乃至６のいずれか一項に記載のカメラシステムにおいて、
前記第２の光学系は、前記第１の光学系よりも広角であることを特徴とするカメラシステム。
【請求項８】
請求項１乃至７のいずれか一項に記載のカメラシステムにおいて、
前記第２の光学系は、前記カメラ本体から所定の間隔を隔てて備えられていることを特徴とするカメラシステム。
【請求項９】
請求項８に記載のカメラシステムにおいて、
前記第２の光学系と前記カメラ本体との間隔を保持する棒状の保持手段を含むことを特徴とするカメラシステム。
【請求項１０】
請求項９に記載のカメラシステムにおいて、
前記保持手段は、前記カメラ本体の上方に前記第２の光学系を保持することを特徴とするカメラシステム。
【請求項１１】
請求項１乃至１０のいずれか一項に記載のカメラシステムにおいて、
前記第２の光学系を回転させる回転手段を含むことを特徴とするカメラシステム。
【請求項１２】
請求項１乃至１１のいずれか一項に記載のカメラシステムにおいて、
前記カメラ本体に備えられ前記第１の光学系による像を撮像する第１の撮像素子と、
前記第２の光学系による像を撮像する第２の撮像素子とを含むことを特徴とするカメラシステム。
【請求項１３】
請求項１２に記載のカメラシステムにおいて、
前記第２の撮像素子を回転させる回転手段を含むことを特徴とするカメラシステム。
【発明の詳細な説明】
【技術分野】
【０００１】
本発明は、撮影の行われている環境を解析することができるカメラシステムに関する。
【背景技術】
【０００２】
従来のカメラとして、光検出器により撮影環境の輝度を検知して、露出条件を決定するものが知られている（たとえば、特許文献１）。
【特許文献１】特開２００４−１２９０３５号公報
【発明の開示】
【発明が解決しようとする課題】
【０００３】
しかしながら、従来のカメラでは、撮影環境を解析するために必要となる様々な情報を取得できないという問題がある。
【課題を解決するための手段】
【０００４】
請求項１の発明によるカメラシステムは、第１の光学系を通過した第１の被写界の像が形成されるカメラ本体と、第１の被写界とは少なくとも一部が異なる第２の被写界の像を形成する第２の光学系と、第２の光学系による像から得られた画像を用いて第１の光学系の第１の被写界を解析する解析手段とを含むことを特徴とする。
請求項２に記載の発明は、請求項１に記載のカメラシステムにおいて、解析手段の解析結果を用いて第１の光学系による像から画像を生成するための設定を変更する設定変更手段を含むことを特徴とする。
請求項３に記載の発明は、請求項１または２に記載のカメラシステムにおいて、解析手段は、第１の光学系による像から得られた画像および第２の光学系による像から得られた画像を用いて第１の被写界を解析することを特徴とする。
請求項４に記載の発明は、請求項１乃至３のいずれか一項に記載のカメラシステムにおいて、解析手段は、第２の被写界を解析した結果に応じて、第１の光学系による像から得られた画像を解析することを特徴とする。
請求項５に記載の発明は、請求項１乃至４のいずれか一項に記載のカメラシステムにおいて、解析手段の解析結果を用いて第１の光学系による像から得られた画像を修正する画像修正手段を含むことを特徴とする。
請求項６に記載の発明は、請求項１乃至５のいずれか一項に記載のカメラシステムにおいて、第１の光学系による像および第２の光学系による像には、同一の被写体が含まれていることを特徴とする。
請求項７に記載の発明は、請求項１乃至６のいずれか一項に記載のカメラシステムにおいて、第２の光学系は、第１の光学系よりも広角であることを特徴とする。
請求項８に記載の発明は、請求項１乃至７のいずれか一項に記載のカメラシステムにおいて、第２の光学系は、カメラ本体から所定の間隔を隔てて備えられていることを特徴とする。
請求項９に記載の発明は、請求項８に記載のカメラシステムにおいて、第２の光学系とカメラ本体との間隔を保持する棒状の保持手段を含むことを特徴とする。
請求項１０に記載の発明は、請求項９に記載のカメラシステムにおいて、保持手段は、カメラ本体の上方に第２の光学系を保持することを特徴とする。
請求項１１に記載の発明は、請求項１乃至１０のいずれか一項に記載のカメラシステムにおいて、第２の光学系を回転させる回転手段を含むことを特徴とする。
請求項１２に記載の発明は、請求項１乃至１１のいずれか一項に記載のカメラシステムにおいて、カメラ本体に備えられ第１の光学系による像を撮像する第１の撮像素子と、第２の光学系による像を撮像する第２の撮像素子とを含むことを特徴とする。
請求項１３に記載の発明は、請求項１２に記載のカメラシステムにおいて、第２の撮像素子を回転させる回転手段を含むことを特徴とする。
【発明の効果】
【０００５】
本発明によれば、撮影環境の解析のために必要となる種々の情報を取得することができる。
【発明を実施するための最良の形態】
【０００６】
本発明の一実施の形態によるカメラを図面を参照して説明する。
図１は、カメラの外観図である。カメラボディ１０には、撮影レンズ１２０を備えるレンズ鏡筒１１０が交換可能に装着されている。カメラボディ１０の外部には、図１に示すように、電源スイッチ１１と、レリーズボタン１３と、サブ画像センサ１４と、棒状のサブ画像センサ保持部１５と、サブ画像センサスイッチ１６と、解析モード設定スイッチ１７と、解析スイッチ１８とが設けられている。
【０００７】
図２に示すように、カメラボディ１０の内部には、被写体を撮像するための撮像素子２０が設けられている。撮像素子２０としてＣＣＤやＣＭＯＳ等が使用される。撮像素子２０の画素数は、たとえば数百万画素以上であり、その撮像面には、それぞれＲ（赤）、Ｇ（緑）およびＢ（青）のカラーフィルタが画素位置に対応するように設けられている。撮像素子がカラーフィルタを通して被写体像を撮像するため、各撮像素子から出力される撮像信号は、それぞれＲＧＢ表色系の色情報を有する。撮影レンズ１２０と撮像素子２０との間には、撮影レンズ１２０を通過した被写体光をファインダ光学系へと反射するクイックリターンミラー７０が設けられている。
【０００８】
クイックリターンミラー７０で反射された被写体光は、撮像素子２０と光学的に等価な位置に設けられたフォーカシングスクリーン９０上に結像する。フォーカシングスクリーン９０上に結像された被写体像は、ペンタプリズム３０から接眼レンズ５０を介して撮影者に観察される。
【０００９】
撮影の際には、クイックリターンミラー７０が被写体光の光路上から光路外（図２の破線部）へと移動し、撮像素子２０上に被写体像が結像する。撮像素子２０は、撮像面に結像された被写体像に対応する信号電荷の蓄積および蓄積電荷の掃き出しを行ない、Ａ／Ｄ変換回路２０３は、撮像素子２０から出力されたアナログ撮像信号をデジタル画像信号（ＲＡＷデータ）に変換して、画像処理回路２０４へ出力する。画像処理回路２０４では、入力されたデジタル画像信号に対して、サブ画像センサ１４で取得した周囲環境の画像を解析して得られた画像処理条件に基づいて、ホワイトバランス調整、彩度調整、輪郭強調、階調調整などの画像処理が施され、画像データとして制御回路２００へ出力される。
【００１０】
制御回路２００はＣＰＵ、ＲＯＭ、ＲＡＭおよび各種周辺回路から構成され、電子カメラの制御を行なうマイクロコンピュータである。制御回路２００は、機能的に周辺環境解析部２１０と画像処理条件設定部２２０とを含み、サブ画像センサ１４で撮像された周辺環境画像を用いて、周辺環境の解析および画像処理条件の設定を行なう。また、画像処理回路２０４から入力されたデジタル画像信号は、ＪＰＥＧ形式などの方式により圧縮されてＬＣＤなどによって構成される液晶モニタ２０８に表示されるとともに、記録媒体２０５に記録される。外部インタフェース２３は、所定のケーブルや無線伝送路を介してパソコンなどの外部接続機器とのインタフェースをとる。
【００１１】
レリーズボタン１３の押下操作に連動してオン／オフする半押しスイッチ１３１および全押しスイッチ１３２は、それぞれオン信号もしくはオフ信号を制御回路２００へ出力する。
【００１２】
解析モード設定スイッチ１７は、サブ画像センサ１４で取得した周辺環境画像を用いて画像データを生成するための設定を第１、第２および第３モードの間で切り替える。第１モードは、周辺環境画像を用いて被写体の周辺環境の解析を行い、その解析結果に基づいて画像処理条件を設定するモードである。この第１モードにおいては、撮像素子２０で取得したＲＡＷデータに対して、設定された画像処理条件に基づいた画像処理を施し、画像データを生成するモードである。第２モードは、周辺環境画像を用いた被写体の周辺環境の解析を行なうが、画像処理条件の設定を行なわないモードである。第３モードは、周辺環境画像を取得するが、被写体の周辺環境の解析および画像処理条件の設定を行なわないモードである。解析スイッチ１８は、第２モードで取得した解析結果のＲＡＷデータへの反映を指示する信号を制御回路２００へ出力する。
【００１３】
サブ画像センサ１４は、レンズ１４１と、補助撮像素子１４２とを備え、モータ１４３により３６０度回転可能にサブ画像センサ保持部１５の上端に設置されている。レンズ１４１は、撮影レンズ１２０の視野角よりも広い広角レンズである。補助撮像素子１４２は、ＣＣＤやＣＭＯＳ等が使用される。補助撮像素子１４２の画素数は、たとえば数十万画素以上であり、その撮像面には、それぞれＲ（赤）、Ｇ（緑）およびＢ（青）のカラーフィルタが画素位置に対応するように設けられている。撮像素子がカラーフィルタを通して被写体像を撮像するため、各撮像素子から出力される撮像信号は、それぞれＲＧＢ表色系の色情報を有する。
【００１４】
サブ画像センサ保持部１５は、通常はカメラボディ１０内部に格納されているが、サブ画像センサスイッチ１６が押下操作されると、カメラボディ１０に対して上方へ繰り出される。サブ画像センサ保持部１５の繰り出しにより、サブ画像センサ１４は、撮影者の手や頭部により周囲環境の撮影が妨げられることのない高さで保持される。そして、サブ画像センサ１４が上述した位置で保持されると、サブ画像センサ１４の補助撮像素子１４２により撮影環境が撮影される。
【００１５】
たとえば、サブ画像センサ１４が３６０度回転し、その間に所定コマの撮影を行う。広角レンズ１４１の視野角が１２０度であれば、モータ１４３により１２０度回転するごとに１枚の画像を撮像し、３枚の画像を撮像することにより３６０度の周辺環境の情報を有する１組の周辺環境画像群を取得できる。このような、サブ画像センサ１４の繰り出し、回転、撮影の各処理は、制御回路２００により制御される。なお、広角レンズ１４１の視野角によっては、３６０度回転させる必要はない。
【００１６】
上述したように、サブ画像スイッチ１６の操作により、補助撮像素子１４２が周辺環境画像を撮像する。この周辺環境画像から、撮影場所、撮影方向、撮影時間、被写体中の人物の有無など、種々の撮影状況を解析することができる。この周辺環境の解析は、主要被写体の撮影に先だって行われるが、主要被写体を１コマ撮影する度に周辺環境を解析しても良いし、複数コマの撮影に１回の解析でも良い。
【００１７】
上述した第１〜第３のモードについて説明する。
−第１モード−
解析モード設定スイッチ１７により第１モードが設定された場合について説明する。
補助撮像素子１４２で撮像された周囲環境画像は、図２のメモリ１４５に一時的に格納され、周辺環境解析部２１０により、周辺環境が解析される。解析結果は画像処理条件設定部２２０へ出力されるとともに、対応する周辺環境画像と関連付けして記録媒体２０５に記録される。
【００１８】
周辺環境の解析は、補助撮像素子１４２から出力される情報を用いて、たとえば次のようにして行われる。周辺環境画像において天上周辺に相当する領域が、明るくかつＢｌｕｅ成分を多く含んでいたとすると、その領域に空が写っていると推定できる。さらに、空と推定できる領域が天上周辺の広範囲にあるならば、撮影場所は晴天の屋外と推定できる。また、別例として、周辺環境画像において、輪郭線に直線の多い領域は人工物が写っていると推定できる。そして、前後左右および天上周辺のいずれにおいても人工物がたいへん多く写っている（人工物に囲まれている）ならば、撮影場所は屋内であると推定できる。なお、これらの推定において、画像の領域が前後左右や天上のどの部分であるかは、補助撮像素子１４２の回転角度情報、さらにカメラ本体に姿勢センサがあるならばその情報を加えて判断できる。
【００１９】
図２に示す画像処理条件設定部２２０は、解析結果に基づいて、ホワイトバランス調整、彩度調整、輪郭強調、階調調整などの画像処理条件を設定して、その画像処理条件を画像処理回路２０４へ出力する。ホワイトバランス調整は、たとえば次のように設定される。補助撮像素子１４２から出力されるＲ、Ｇ、Ｂ各色の色情報に基づいて判断された光源に応じて、Ｒ色とＢ色の画像信号に対してＲゲインとＢゲインとが算出される。
【００２０】
彩度調整の設定では、彩度が鮮やかなものから彩度が低いものの間で、段階的に彩度が補正される。すなわち、補助撮像素子１４２から出力される情報に基づき、解析結果に合わせた彩度になるように、Ｒゲイン、ＧゲインおよびＢゲインが補正される。たとえば、周辺環境画像により撮影場所が晴天の屋外と推定された場合は、鮮やかな彩度となうように各ゲインを補正する。階調補正の設定においても、補助撮像素子１４２の出力情報に基づき、解析結果に合わせたトーンカーブに補正される。たとえば、周辺環境画像により周辺広域の明暗分布を解析し、得られた光源の方向と光の強度の結果から逆光による撮影と推定された場合には、被写体のコントラストが中間的になるよう、すなわち影が暗くなりすぎないようトーンカーブが補正される。
【００２１】
画像処理回路２０４は、入力した画像処理条件に基づいて、前述したように撮像素子２０により取得されたＲＡＷデータに対して画像処理を施す。画像処理の施された画像データは、制御回路２００により対応する周辺環境画像および解析結果と関連付けされて記録媒体２０５に記録される。１枚の周辺環境画像に対して複数の画像データが生成されている場合は、対応する全ての画像データに対して、１つの周辺環境画像と解析結果とが関連付けされて記録される。
【００２２】
−第２モード−
解析モード設定スイッチ１７により第２モードが設定された場合について説明する。
第２モードにおいては、サブ画像センサ１４で取得した周辺環境画像の解析を行なうが、解析結果を用いて画像処理条件を設定しない。対応する周辺環境画像と解析結果と撮像素子２０で取得したＲＡＷデータとを関連付けて記録媒体２０５に記録する。１枚の周辺環境画像に対して複数のＲＡＷデータが生成されている場合は、対応する全てのＲＡＷデータに対して、１つの周辺環境画像と解析結果とが関連付けされて記録される。被写体撮影後に、撮影者の解析スイッチ１８の操作により解析結果反映が指示されると、制御回路２００は、ＲＡＷデータと解析結果とを記録媒体２０５から読み出して、画像処理回路２０４によりＲＡＷデータに対して解析結果に基づいた画像処理を施す。
【００２３】
補助撮像素子１４２で撮像された周囲環境画像は、メモリ１４５に一時的に格納され、周辺環境解析部２１０により周辺環境を解析する。解析結果は画像処理条件設定部２２０へ出力されるとともに、対応する周辺環境画像と関連付けられて記録媒体２０５に記録される。
【００２４】
−第３モード−
解析モード設定スイッチ１７により第３モードが設定された場合について説明する。
第３モードにおいては、サブ画像センサ１４で取得した周辺環境画像を用いた周辺環境の解析を行なうことなく、その周辺環境画像と撮像素子２０で取得したＲＡＷデータとを関連付けて記録媒体２０５に記録する。１枚の周辺環境画像に対して複数のＲＡＷデータが生成されている場合は、対応する全てのＲＡＷデータに対して、１つの周辺環境画像が関連付けされて記録される。周辺環境の解析および画像処理は、外部インタフェース２３を介して接続されたコンピュータなどの外部接続機器により行なう。
【００２５】
上述のようにして取得された周辺環境画像とＲＡＷデータとは、外部インタフェース２３により、たとえばＵＳＢケーブルや無線で接続されたパソコンなどにより、撮影終了後に記録媒体２０５から読み出される。パソコンにより、読み出された周辺環境画像を用いて第１モードや第２モードにて行った処理と同様にして周辺環境の解析と画像処理条件とを設定をする。この画像処理条件に基づいて、記録媒体２０５から読み出されたＲＡＷデータに対して画像処理を行なう。
【００２６】
以上で説明した実施の形態におけるカメラの動作について、図３〜６に示すフローチャートを用いて説明する。図３〜６の各処理を行なうプログラムは制御回路２００内のメモリ（不図示）に格納されており、電源スイッチ１１により電源が投入されると起動され、制御回路２００により実行される。
図３のステップＳ１において、サブ画像スイッチ１６が押下操作されたか否かを判定する。サブ画像スイッチ１６からオン信号を入力した場合は、ステップＳ１が肯定判定されてステップＳ２へ進む。サブ画像スイッチ１６からオン信号を入力しない場合は、ステップＳ１が否定判定されてステップＳ１で待機する。
【００２７】
ステップＳ２において、サブ画像センサ保持部１５を繰り出してステップＳ３へ進む。ステップＳ３において、第１モードが設定されているか否かを判定する。第１モードが設定されている場合は、ステップＳ３が肯定判定されてステップＳ４へ進み、第１モード処理のサブルーチンを読み出す。第１モードが設定されていない場合は、ステップＳ３が否定判定されてステップＳ５へ進む。
【００２８】
ステップＳ５において、第２モードが設定されているか否かを判定する。第２モードが設定されている場合、ステップＳ５が肯定判定されてステップＳ６へ進み、第２モード処理のサブルーチンを読み出す。第３モードが設定されている場合、ステップＳ５が否定判定されてステップＳ７へ進み第３モード処理のサブルーチンを読み出す。
【００２９】
ステップＳ４、ステップＳ６、およびステップＳ７における各サブルーチンにおける処理が終了するとステップＳ８に進み、電源スイッチ１１がオフ操作されたか否かを判定する。電源がオフとなった場合、ステップＳ８が肯定判定され、ステップＳ９でサブ画像センサ１４を格納した後、一連の処理を終了する。電源がオンのままの場合、ステップＳ８が否定判定されてステップＳ３へ戻る。
【００３０】
ステップＳ４における第１モード処理について、図４に示すフローチャートを用いて説明する。
ステップＳ１０２においては、モータ１４３によりサブ画像センサ１４を回転駆動させてステップＳ１０３へ進む。ステップＳ１０３においては、補助撮像素子１４２により周辺環境画像を撮像してステップＳ１０４へ進む。ステップＳ１０４において、ステップＳ１０３にて取得した周辺環境画像を用いて、前述したように周辺環境を解析してステップＳ１０５へ進む。ステップＳ１０５では、ステップＳ１０４における解析結果に基づいて、画像処理条件を設定してステップＳ１０６へ進む。
【００３１】
ステップＳ１０６においては、レリーズボタン１３が全押しされたか否かを判定する。全押しスイッチ１３２からオン信号を入力した場合は、ステップＳ１０６が肯定判定されてステップＳ１０７へ進む。全押しスイッチ１３２からオン信号を入力しない場合は、ステップＳ１０６が否定判定されそのまま待機する。
【００３２】
ステップＳ１０７においては、Ａ／Ｄ変換回路２０３により撮像素子２０から出力された信号電荷をデジタル画像信号に変換してステップＳ１０８へ進む。ステップＳ１０８においては、画像処理回路２０４により、ステップＳ１０５で設定した画像処理条件に基づいて画像処理を施して、ステップＳ１０９へ進む。ステップＳ１０９においては、ステップＳ１０３で生成した周辺環境画像と、ステップＳ１０４で取得した周辺環境の解析結果と、ステップＳ１０８で取得した画像処理の施された画像データとをそれぞれ関連付けて記録媒体２０５に記録してステップＳ１１０へ進む。
【００３３】
ステップＳ１１０において第１モードにおける撮影が終了したか否かを判定する。解析モード設定スイッチ１７からの操作信号を入力して、第２モードもしくは第３モードに設定された場合、ステップＳ１１０が肯定判定されて呼び出し元へ戻る。解析モード設定スイッチ１７からの操作信号を入力せず、第１モードの設定が継続している場合、ステップＳ１０６へ戻る。
【００３４】
ステップＳ６における第２モード処理について、図５に示すフローチャートを用いて説明する。
ステップＳ２０２（サブ画像センサ回転）からステップＳ２０４（周辺環境解析）までの各処理は、図４におけるステップＳ１０２（サブ画像センサ回転）からステップＳ１０４（周辺環境画像解析）までの各処理と同様の処理を行なう。
【００３５】
ステップＳ２０５（レリーズボタン全押し判定）からステップＳ２０６（撮像）の各処理は、図４におけるステップＳ１０６（レリーズボタン全押し判定）からステップＳ１０７（撮像）の各処理と同様の処理を行なう。ステップＳ２０７においては、ステップＳ２０３で得られた周辺環境画像と、ステップＳ２０４で得られた解析結果と、ステップＳ２０６で得られたＲＡＷデータとをそれぞれ関連付けて記録媒体２０５に記録して、ステップＳ２０８へ進む。
【００３６】
ステップＳ２０８において、解析スイッチ１８から解析結果の反映を指示する信号を入力したか否かを判定する。解析結果の反映を指示する信号を入力した場合、ステップＳ２０８が肯定判定されてステップＳ２０９へ進む。解析結果の反映を指示する信号を入力しない場合は、ステップＳ２０８が否定判定されてステップＳ２０５へ戻る。
【００３７】
ステップＳ２０９において、関連付けされたＲＡＷデータと解析結果とを記録媒体２０５から読み出してステップＳ２１０へ進む。ステップＳ２１０においては、画像処理条件を設定してステップＳ２１１へ進む。ステップＳ２１１では、画像処理解回路２０４により、解析結果に基づいてＲＡＷデータに対して画像処理を施してステップＳ２１２へ進む。ステップＳ２１２においては、ステップＳ２１１にて画像処理の施された画像データと、対応する解析結果とを関連付けて記録媒体２０５に記録して呼び出し元に戻る。
【００３８】
ステップＳ７における第３モード処理について、図６に示すフローチャートを用いて説明する。
ステップＳ３０２（サブ画像センサ回転）からステップＳ３０３（周辺環境画像撮像）までの各処理は、図４におけるステップＳ１０２（サブ画像センサ回転）からステップＳ１０３（周辺環境画像撮像）までの各処理と同様の処理を行なう。
【００３９】
ステップＳ３０４においては、ステップＳ３０３で撮像した周辺環境画像を記録媒体２０５に記録してステップＳ３０５へ進む。ステップＳ３０５（レリーズボタン全押し判定）からステップＳ３０６（撮像）までの各処理は、図４におけるステップＳ１０６（レリーズボタン全押し判定）からステップＳ１０７（撮像）の各処理と同様の処理を行なう。ステップＳ３０７においては、ステップＳ３０６で取得したＲＡＷデータを、ステップＳ３０４で取得した周辺環境画像と関連付けて記録媒体２０５に記録してステップＳ３０８へ進む。
【００４０】
ステップＳ３０８において第３モードにおける撮影が終了したか否かを判定する。解析モード設定スイッチ１７からの操作信号を入力して、第１モードもしくは第２モードに設定された場合、ステップＳ３０８が肯定判定されて呼び出し元へ戻る。解析モード設定スイッチ１７からの操作信号を入力せず、第３モードの設定が継続している場合、ステップＳ３０５へ戻る。
【００４１】
以上で説明した実施の形態のカメラによると、以下の作用効果が得られる。
（１）レンズ１４１を介して補助撮像素子１４２にて形成された周辺環境画像、すなわち被写界の像を用いて被写体の周辺環境を解析し、撮影レンズ１２０を介して撮像素子２０にて形成されたＲＡＷデータに対して、解析結果に応じた画像処理を施すようにした。さらに、レンズ１４１の視野角を撮影レンズ１２０の視野角よりも広角にした。したがって、周辺環境画像は、撮像素子２０で撮像される被写体と同一の被写体を含み、かつ撮像素子２０で撮像される被写界とは少なくとも一部が異なる広い範囲を撮像された画像なので、露出演算用に用いる撮像素子を使用してシーン解析などを行なう場合と比べ、被写体の周辺環境の情報をより多く取得して画像処理に反映することができる。
【００４２】
（２）解析モード設定スイッチ１７の設定操作により、第１モードから第３モードまでを設定可能として、解析結果を用いて画像データを生成するための設定を変更可能とした。すなわち、周辺環境の解析結果を反映した画像データを生成するか否か、または、解析結果を画像データに反映させる処理を撮影時に行うか、もしくは撮影後に行うかを設定可能とした。したがって、撮影者の好みに応じて上述した設定を変更することができるので、利便性が増す。
【００４３】
（３）サブ画像センサ１４を棒状のサブ画像保持部１５により、カメラボディ１０から上方へ所定の間隔を隔てて保持するようにした。したがって、撮影者の手や顔などに妨げられることなく広い範囲の周辺環境を取得することができる。
【００４４】
（４）サブ画像センサ１４をモータ１４３により３６０度回転可能とした。したがって、サブ画像センサ１４によりカメラボディ１０に対して３６０度の周辺環境画像を撮像することができるので、多くの周辺環境の情報を確実に取得することができる。
【００４５】
以上で説明した実施の形態のカメラを、以下のように変形できる。
（１）第１モードにおいて記録媒体２０５に記録した周辺環境画像と解析結果とＲＡＷデータを用いて、パソコンなどの外部機器を用いて、周辺環境の解析や画像処理条件の設定、画像処理を行ってもよい。この場合、外部インタフェース２３により、たとえばＵＳＢケーブルや無線で接続されたパソコンは、補助撮像素子１４２で撮像された周辺環境画像と撮像素子２０で撮像されたＲＡＷデータとを取り込み、周辺環境画像を用いて周辺環境の解析と画像処理条件の設定を行い、ＲＡＷデータに対して画像処理を施してもよい。もしくは、記録媒体２０５から対応する解析結果とＲＡＷデータとを読み出して、パソコンで、解析結果に基づいた画像処理を画像データに施すようにしてもよい。
【００４６】
（２）第２モード設定時に、撮影者の解析スイッチ１８の操作により解析結果反映が指示されると、ＲＡＷデータと解析結果とを記録媒体２０５から読み出して、画像処理回路２０４によりＲＡＷデータに対して解析結果に基づいた画像処理をカメラ側で施すものとして説明したが、外部インタフェース２３により、たとえばＵＳＢケーブルや無線で接続されたパソコンで同様の処理を行うようにしてもよい。
【００４７】
（３）サブ画像センサ１４に測距センサを取り付けてもよい。この場合、周辺環境の距離情報をさらに取得して、狭い室内か広い講堂かなどの距離に依存する周囲環境の解析に用いることができる。
【００４８】
（４）サブ画像センサ１４が回転するものに代えて、サブ画像センサ１４を回転させず視野角が全周囲のレンズ１４１を用いて３６０度の周辺環境画像を撮像してもよい。もしくは、補助撮像素子１４２のみが回転する構成としてもよいし、サブ画像センサ保持部１５がサブ画像センサ１４とともに回転してもよい。
【００４９】
（５）複数のサブ画像センサ１４をサブ画像センサ保持部１５の上端に設置して、３６０度の周辺環境画像を撮像してもよい。
（６）サブ画像スイッチ１６の押下操作に応じて、サブ画像センサ保持部１５が繰り出されるものに代えて、撮影者が手動でサブ画像センサ保持部１５を伸ばすものでもよい。
【００５０】
（７）サブ画像スイッチ１６の押下操作により、サブ画像センサ１４の繰り出しと、サブ画像センサ１４の回転と、周辺環境画像の撮像を行うようにしたが、サブ画像スイッチ１６の押下操作でサブ画像センサ１４の繰り出しのみ行ない、レリーズボタン１３の押下操作によりサブ画像センサ１４の回転と撮像行うようにしてもよい。
【００５１】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５２】
【図１】本発明の実施の形態によるカメラの外観を説明する図である。
【図２】本発明の実施の形態によるカメラの要部構成を説明するブロック図である。
【図３】本発明の実施の形態のカメラの動作を説明するフローチャートである。
【図４】第１モードにおける動作を説明するフローチャートである。
【図５】第２モードにおける動作を説明するフローチャートである。
【図６】第３モードにおける動作を説明するフローチャートである。
【符号の説明】
【００５３】
１４    サブ画像センサ              １５    サブ画像センサ保持部
１６    サブ画像センサスイッチ      １４１  レンズ
１４２  補助撮像素子                ２００  制御回路
２１０  周辺環境解析部              ２２０  画像処理条件設定部
【図１】
2008028704.tif 000003
【図２】
2008028704.tif 000004
【図３】
2008028704.tif 000005
【図４】
2008028704.tif 000006
【図５】
2008028704.tif 000007
【図６】
2008028704.tif 000008